(57)【要約】      （修正有）【課題】息がしやすくて話しやすく装着感が良く、かつ、衛生的で、顔の広い部分を覆うことができ、携帯に便利で使い捨てができるマスクを提供する。【解決手段】マスク１は、被覆部２と紐状耳掛部３とを備える。被覆部２は、鼻及び口を覆う不織布層からなり、その外表面側中心部には左右方向に沿ってボックスプリーツ６ａが形成されるとともに、ボックスプリーツ６ａの両側には外表面側プリーツ６ｂが形成されている。紐状耳掛部３は、伸縮自在のゴムからなり、被覆部２の左右両側部位に接合されて二つのループを形成する。被覆部２は、鼻の隆起部分の不織布層の間に鼻ワイヤー５ａが介装され、ボックスプリーツを構成する不織布層の間に口ワイヤー５ｂが介装される。【選択図】図１
0003126242.tif 000002
【実用新案登録請求の範囲】
【請求項１】
鼻及び口を覆う不織布層からなる被覆部であって、その外表面側中心部には左右方向に沿ってボックスプリーツが形成されるとともに、当該ボックスプリーツの両側には外表面側に折り目がついた外表面側プリーツが形成された被覆部と、
前記被覆部の左右両側端縁に接合されてループを形成する伸縮自在の二つの紐状耳掛部とを備えたマスクであって、
前記被覆部は、鼻隆起部分にあたる前記不織布層の間には鼻ワイヤーが介装され、前記ボックスプリーツを構成する前記不織布層の間には口ワイヤーが介装されていることを特徴とするマスク。
【請求項２】
前記鼻ワイヤーは、前記不織布層を折り返したところに介装されていることを特徴とする請求項１に記載のマスク。
【請求項３】
前記被覆部は、前記ボックスプリーツ及び前記外表面側プリーツが折り畳まれた状態であることを特徴とする請求項１又は２に記載のマスク。
【考案の詳細な説明】
【技術分野】
【０００１】
本考案は、マスクに関し、更に詳しくは、息がしやすくて装着感が良く、衛生的で使い捨て可能なマスクに関する。
【背景技術】
【０００２】
従来のマスクとして、数枚のガーゼを重ね合わせて鼻と口を覆う被覆部を形成し、ガーゼの両端部にゴムの耳掛け部を取り付けたものが知られている。このマスクは、耳掛け部を耳にかけ、被覆部で鼻と口を覆うことによって装着することができる。このマスクをかけると、ゴムが伸びてガーゼも若干ではあるが顔面に対して横方向に延びる。そのため、このマスクは、ガーゼが鼻や口に直接当たり、鼻や口を圧迫するため、息苦しかったり、唾液や化粧品等がマスクに付着し非衛生的であるという問題があった。また、洗濯をして再使用することが前提となるため、使い捨てができず手軽さに欠けるという問題があった。
そこで、近年、こうした問題点を解消すべく種々の立体形状のマスクが出回っている。
例えば、特許文献１〜４には、人の少なくとも口許に対する覆い部と、該覆い部の対向両外表面側から延びる耳掛け部とを有する一対のシート部材が不織布で形成されたマスクであって、その耳掛け部が不織布に形成された開口からなるマスクが開示されている。
【特許文献１】特許第３６６００３６号
【特許文献２】特許第３６６００３７号
【特許文献３】特許第３７６８７６６号
【特許文献４】実用新案登録第３１０８２１６号
【考案の開示】
【考案が解決しようとする課題】
【０００３】
しかしながら、特許文献１〜４に開示のマスクは、いずれも、耳掛け部が平面形状の不織布で形成された開口からなるものであるため、マスクを装着しているときに耳掛け部の形状が定まらず、耳掛け部の位置によって顔面や耳の後ろへの耳掛け部の当たり方が異なるという問題があった。これにより、耳掛け部の装着感が良くないという問題もあった。また、耳掛け部を形成する開口を誤って強く引っ張ると、深めにえぐられた部分が裂けやすいという問題があった。
また、覆い部が縦方向（顔の上下方向）に広がることはないため、顔の広い部分を覆いたい場合には面積が少ないという問題があった。
【０００４】
本考案は、上記事情に鑑みてなされたものであり、その第一の目的は、息がしやすくて話しやすく装着感が良く、かつ、衛生的なマスクを提供することにある。本考案の第二の目的は、顔の広い部分を覆うことができるマスクを提供することにある。本考案の第三の目的は、携帯に便利で使い捨てができるマスクを提供することにある。
【課題を解決するための手段】
【０００５】
上記課題を解決するために、本考案に係るマスクは、鼻及び口を覆う不織布層からなる被覆部であって、その外表面側中心部には左右方向に沿ってボックスプリーツが形成されるとともに、当該ボックスプリーツの両側には外表面側に折り目がついた外表面側プリーツが形成された被覆部と、前記被覆部の左右両側端縁に接合されてループを形成する伸縮自在の二つの紐状耳掛部とを備え、
前記被覆部は、鼻隆起部分にあたる前記不織布層の間には鼻ワイヤーが介装され、前記ボックスプリーツを構成する前記不織布層の間には口ワイヤーが介装されていることを要旨とするものである。
【０００６】
この場合に、前記鼻ワイヤーは、前記不織布層を折り返したところに介装されていることが望ましい。
この場合に、前記被覆部は、前記ボックスプリーツ及び前記外表面側プリーツが折り畳まれた状態であることが望ましい。
【考案の効果】
【０００７】
本考案に係るマスクは、被覆部の外表面側中心部には左右方向に沿ってボックスプリーツが形成されるとともに、当該ボックスプリーツの両側には外表面側プリーツが形成されているので、プリーツやひだのところが開いてできる空間部分を形成する被覆部が人の鼻や口にあてがわれ、マスクが鼻孔や口中央部に常時直接当たることはない。従って、本考案に係るマスクは、息がしやすく話しやすく、装着感が良い。
【０００８】
また、被覆部は、鼻隆起部分の不織布層の間には鼻ワイヤーが介装されているため、鼻ワイヤーがマスク装着者の鼻の頭にかかり、マスクが簡単にずれることはない。また、鼻ワイヤーによって鼻の隆起部分とマスクとの間に通気のための隙間が確保できる。従って、本考案に係るマスクは、息がしやすく話しやすく、装着感が良い。更に、ボックスプリーツを構成する不織布層の間には口ワイヤーが介装されているため、紐状耳掛部を耳に掛けて、被覆部で鼻と口を覆うと、この口ワイヤーが湾曲してマスクと鼻や口との間に通気のための隙間が確保される。従って、本考案に係るマスクは、息がしやすく話しやすく、装着感が良い。
【０００９】
更に、本考案に係るマスクは、鼻や口とマスクとの間に通気のための隙間が確保できるため、唾液や口紅が付着することもなく、衛生的である。本考案に係るマスクは、ボックスプリーツと外表面側プリーツとが形成されているので、顔の広い部分を覆うことができる。本考案に係るマスクは、被覆部が不織布製であるため、軽くて携帯に便利で使い捨てができる。更に、本考案に係るマスクは、鼻ワイヤーが不織布層を折り返したところに介装されているため、その部分が補強されている。本考案に係るマスクは、被覆部のボックスプリーツ及び外表面側プリーツが折り畳まれた状態であるため、平面形状の物として扱うことができ、多くの枚数を重ねやすく、収納も容易である。
【考案を実施するための最良の形態】
【００１０】
以下に図面を参照して本考案の一実施形態について説明する。
図１は、本考案の一実施形態に係るマスクの使用時における外観斜視図であり、図２は、その外側表面図、図３は、その内側表面図、図４は、図１のＡ−Ａ線での部分切欠断面図である。
これらの図において、マスク１は、被覆部２と、紐状耳掛部３とからなる。
被覆部２は、マスク１の装着者（以下単に、「装着者」という）の鼻及び口を覆う部分であり、長方形状の不織布層４と、鼻ワイヤー５ａ及び口ワイヤー５ｂからなる。不織布層４は、その材質や形状は特に限定されず、上下辺が円弧形状になっているものや、菱形形状など種々の形状をとることができる。
【００１１】
そして、被覆部２の外表面側（外気にあたる側）の中心部（マスク１の水平鉛直方向の両中心線及びその近傍付近）には、左右方向（装着者がマスクを装着したときに顔の横方向に沿った方向）に沿ってボックスプリーツ６ａが形成されるとともに、ボックスプリーツ６ａの両側には外表面側プリーツ６ｂが形成されている。ボックスプリーツ６ａや外表面側プリーツ６ｂの向きは特に限定されず、上下方向（装着者がマスクを装着したときに顔の縦方向に沿った方向）に沿っているものでもよい。また、ボックスプリーツ６ａや外表面側プリーツ６ｂの折り目をつける側も外表面側又は内表面側（装着者の顔がある側）のいずれでも良い。装着者の顔に折り目を当てないという点では、プリーツに関しては外表面側にボックスプリーツ６ａを設けてその両側に当該ボックスプリーツ６ａと同じ向きに外表面側プリーツ６ｂ，６ｂを設けることが望ましい。
【００１２】
被覆部２を構成する不織布層４は、図４に示したように、三層からなり、外表面側から順番に、不織布４ａ、不織布４ｂ、不織布４ｃで示される。不織布４ａは、鼻ワイヤー５ａ及び口ワイヤー５ｂを介装するために設けられている。不織布４ｂは、外気や呼気のフィルターとして設けられ、不織布４ａ，４ｃと比べると目の細かい硬めの材質からなる。不織布４ｃは、肌触りの良い材質からなる。
被覆部２の鼻隆起部分（マスクの装着者の顔の鼻がある部分の盛り上がったところ）に相当する上端縁付近で不織布４ａ及び４ｃは折り返されている。上端縁付近では、不織布４ｂは、折り返されないか折り返しがあったとしてもごくわずかである。また、被覆部２の顎部分（マスクの装着者の顔の顎があるところ）に相当する下端縁付近で不織布４ａ、４ｂ、４ｃは折り返されている。
マスク１の未使用状態では、マスク１は、ボックスプリーツ６ａ及び外表面側プリーツ６ｂが折り畳まれた状態であり、マスク１は、平面形状の物として扱うことができる。
【００１３】
鼻ワイヤー５ａは、鼻隆起部分の不織布層４に介装される。鼻ワイヤー５ａは、不織布層４のうち、不織布４ｂは折り返さずに（図４参照）、不織布４ａ，４ｃを被覆部２の上端縁で折り返した状態の不織布４ａと不織布４ａとの間に介装されている。折り返したことによって、鼻隆起部分における被覆部２の強度が高められている。
口ワイヤー５ｂは、ボックスプリーツ６ａを構成する部分に当たる不織布４ａと不織布４ｂとの間に介装されている。
鼻ワイヤー５ａ及び口ワイヤー５ｂは、可撓性の板状部材であり、高分子樹脂から形成されるが、可撓性であれば特にその材質は限定されず、紙製、木製、金属製等種々の材質を適用できる。鼻ワイヤー５ａは、マスク１が容易にずれたりしないようにするためと、通気を良くし、呼吸をしやすくするために設けられる。口ワイヤー５ｂは、装着者の鼻及び口とマスク１との間に空間を形成させるために設けられる。鼻及び口とマスク１との間に空間が形成されれば、通気が良くなり、呼吸がしやすくなり、話しやすくなるからである。
【００１４】
紐状耳掛部３は、二本のウイリーゴムからなる紐状の耳掛け部である。紐状耳掛部３は、被覆部２の左右両側端縁（装着者の顔面両側縁）に、右耳用及び左耳用それぞれ別個に接合されてループを形成する。
【００１５】
接合不織布７は、被覆部２の一部を構成するものであり、所定のプリーツが形成されるとともに、鼻ワイヤー５ａ及び口ワイヤー５ｂが介装された不織布４ａ、４ｂ、４ｃの左右両側端縁に沿って、これらを包み込む。接合不織布７は、これらを間に挟んで包み込んだ状態で、その上下から熱融着により接合される。接合不織布７の外表面側には、紐状耳掛部３が熱融着により接合される。
【００１６】
次に、本考案の一実施形態に係るマスクの製造方法について説明する。
（１）材料の準備
マスク１の材料として、所定の大きさに裁断した不織布４ａ、４ｂ、４ｃ、接合不織布７、所定の大きさに成形したプラスチック製の鼻ワイヤー５ａ、口ワイヤー５ｂ、及び、二本の紐状耳掛部３として二本のウイリーゴムを準備する。
【００１７】
（２）被覆部製作
不織布４ａ、４ｂ、４ｃを重ね合わせてボックスプリーツ６ａ及び外表面側プリーツ６ｂをつける。次に、不織布４ａと不織布４ｂとの間に口ワイヤー５ｂを介装し、口ワイヤー５ｂの両側に沿って熱融着を行い、口ワイヤー５ｂの位置決めを行い、必要以上にずれないようにする。次に、不織布４ａの外表面側に鼻ワイヤー５ａを載せた状態で、不織布４ａ及び４ｃの上端縁を折り目をつけて折り返して、その鼻ワイヤー５ａを包む。そして、鼻ワイヤー５ａの両側に沿って熱融着を行い、鼻ワイヤー５ａの位置決めを行い、必要以上にずれないようにする。更に、不織布４ａ、４ｂ、４ｃの下端縁に折り目をつけて、これらを折り返す。そして、折り返したところに、左右方向に沿って熱融着を行う。次に、接合不織布７でボックスプリーツ６ａや外表面側プリーツ６ｂが形成された被覆部２の左右両側端縁を挟み込んで包み、高い温度と圧力をかけて、これらを熱融着させる。これにより、被覆部２が完成する。
【００１８】
（３）紐状耳掛部３の取り付け
接合不織布７の内表面側に紐状耳掛部３の端部を当てて、これを接合不織布７に熱融着させる。これにより、マスク１が完成する。
なお、マスク１の製造方法は、特に限定されない。例えば、鼻ワイヤー５ａや口ワイヤー５ｂの介装は熱融着の前後のいずれでもかまわない。不織布４ａ、４ｂ、４ｃの上下端縁については、折り返しを設けても設けなくても良く、鼻ワイヤー５ａや口ワイヤー５ｂを介装する層も限定されず、どの層に介装してもよい。
【００１９】
次に、本考案の一実施形態に係るマスクの作用について説明する。
まず、マスク１の不使用時における作用について説明する。
マスク１は、不織布製であるため、軽くて携帯しやすく、使い捨てができる。マスク１の不使用時においては、ボックスプリーツ６ａと外表面側プリーツ６ｂとが閉じた状態、すなわち、折り畳まれた状態であるため、被覆部２は、平面形状の物として取り扱うことができる。従って、マスク１は、携帯しやすいし、複数のマスクを重ね合わせて箱に入れることができ、便利である。
【００２０】
次に、マスク１の使用時における作用について説明する。
マスク１は、ボックスプリーツ６ａ及び外表面側プリーツ６ｂが形成されているため、装着者がマスクをかけるとそのひだが開き、開いたところにできる空間を包む被覆部２の部分が装着者の鼻や口にあてがわれる。そのため、マスク１が鼻腔や口中央部に常時直接当たることはない。従って、装着者は息がしやすく、話もしやすく、心地よくマスク１を装着することができる。また、ボックスプリーツ６ａや外表面側プリーツ６ｂが開くため、装着者の顔の広い部分を覆うことができる。
また、鼻ワイヤー５ａが装着者の鼻の隆起部分にかかるため、マスク１がそこでひっかかり、簡単にずれることはない。更に、鼻ワイヤー５ａによって鼻の隆起部分とマスク１との間に通気や呼吸のための隙間ができる。また、口ワイヤー５ｂのところは、装着者が紐状耳掛部３を耳に掛けて、鼻や口に被覆部２をあてがうときに外表面側へ膨出する態様で湾曲するため、その部分に空間ができる。そのため、マスクが鼻腔や口中央部に常時直接当たることはない。従って、装着者は息がしやすく、話もしやすく、心地よくマスク１を装着することができる。ボックスプリーツ６ａや外表面側プリーツ６ｂの開きと口ワイヤー５ｂの湾曲による効果は相乗的な効果を奏する。また、マスク１は、鼻や口の前に空間ができることから、マスク１に唾液や口紅が付着することが回避され、衛生的である。また、被覆部２の上下端縁は不織布が折り返されているため、補強される。
【００２１】
以上本発明の一実施形態について説明したが、本考案は上記実施の形態に限定されるものではない。
【産業上の利用可能性】
【００２２】
本考案に係るマスクは、各種のマスク製造メーカーで利用することができる。また、本考案に係るマスクは、風邪予防のほか、研究所、食品工場、病院など様々な業種で利用することができる。
【図面の簡単な説明】
【００２３】
【図１】本考案の一実施形態に係るマスクの使用時の状態を示した斜視図である。
【図２】本考案の一実施形態に係るマスクの不使用時の状態における外観を外表面側からみた外観図である。
【図３】本考案の一実施形態に係るマスクの不使用時の状態における外観を内表面側からみた外観図である。
【図４】本考案の一実施形態に係るマスクの部分切欠断面図である。
【符号の説明】
【００２４】
１  マスク
２  被覆部
３  紐状耳掛部
４  不織布層  
４ａ、４ｂ、４ｃ  不織布層
５ａ  鼻ワイヤー
５ｂ  口ワイヤー
６ａ  ボックスプリーツ
６ｂ  外表面側プリーツ
７  接合不織布
【図１】
0003126242.tif 000003
【図２】
0003126242.tif 000004
【図３】
0003126242.tif 000005
【図４】
0003126242.tif 000006